(57)【要約】【課題】  実装面積を小さくすることが可能となると共に、小さい実装面積であっても絶縁を確実に図ることができるリーケージトランスを提供すること。【解決手段】  一次巻線９０と二次巻線９１との間で電磁誘導を行うと共に、これら一次巻線９０と二次巻線９１とがコア２０，８０に収納されるリーケージトランス１０であり、複数の二次巻線９１の巻回に対応する個数分以上の巻枠部３４を有すると共に、該巻枠部３４が二次巻線９１の巻線方向が為す平面に垂直な方向に並べられた状態で配置される多数段コイルボビン３０を有し、この多数段コイルボビン３０の外周側には、一次巻線９０が巻回される巻枠部７２を有する一次用コイルボビンが配置される。また、多数段コイルボビン３０の夫々の巻枠部３４には夫々二次巻線９１が巻回されると共に、一次用コイルボビンの巻枠部７２には一次巻線９０が巻回される。【選択図】  図１
2005158927.tif 000002
【特許請求の範囲】
【請求項１】
一次巻線と二次巻線との間で電磁誘導を行うと共に、これら一次巻線と二次巻線とがコアに収納されるリーケージトランスにおいて、
複数の上記二次巻線の巻回に対応する個数分以上の巻枠部を有すると共に、該巻枠部が上記二次巻線の巻線方向が為す平面に垂直な方向に並べられた状態で配置されている多数段コイルボビンと、
上記多数段コイルボビンの外周側に配置されると共に、上記一次巻線が巻回される巻枠部を有する一次用コイルボビンと、
を具備し、上記多数段コイルボビンの夫々の巻枠部には夫々上記二次巻線が巻回されると共に、上記一次用コイルボビンの巻枠部には上記一次巻線が巻回されることを特徴とするリーケージトランス。
【請求項２】
一次巻線と二次巻線との間で電磁誘導を行うと共に、これら一次巻線と二次巻線とがコアに収納されるリーケージトランスにおいて、
複数の上記二次巻線の巻回に対応する個数分以上の巻枠部を有すると共に、該巻枠部が上記二次巻線の巻線方向が為す平面に垂直な方向に並べられた状態で配置されている多数段コイルボビン、
を具備し、上記多数段コイルボビンの夫々の巻枠部には夫々上記二次巻線が巻回されることを特徴とするリーケージトランス。
【請求項３】
一次巻線と二次巻線との間で電磁誘導を行うと共に、これら一次巻線と二次巻線とがコアに収納されるリーケージトランスにおいて、
複数の上記二次巻線の巻回に対応する個数分より多くの巻枠部を有すると共に、該巻枠部が上記二次巻線の巻線方向が為す平面に垂直な方向に並べられた状態で配置されている多数段コイルボビンを具備し、
上記多数段コイルボビンの巻枠部のうち少なくとも１つには、上記一次巻線が巻回されると共に、該一次巻線が巻回された上記巻枠部以外の巻枠部には、上記二次巻線が巻回される、
ことを特徴とするリーケージトランス。
【請求項４】
前記多数段コイルボビンは、
前記二次巻線が巻回されると共に、前記二次巻線が導入される側である最下部に位置する第１の巻枠部と、
前記二次巻線が巻回されると共に、上記第１の巻枠部よりも上方に位置する第２の巻枠部と、
を有することを特徴とする請求項１又は２記載のリーケージトランス。
【請求項５】
前記多数段コイルボビンは、巻枠部を３つ有し、当該３つの巻枠部のうち前記二次巻線が導入される側である最下部に位置する第１の巻枠部、およびこの第１の巻枠部に隣接する状態で該第１の巻枠部よりも上方に位置する第２の巻枠部には、前記二次巻線が夫々巻回されると共に、当該３つの巻枠部のうち最上部の巻枠部である第３の巻枠部には、前記一次巻線が巻回されることを特徴とする請求項３に記載のリーケージトランス。
【請求項６】
前記第１の巻枠部を構成する下鍔部には、複数の前記二次巻線の始端および終端、前記一次巻線の始端および終端を絡げるための端子が一体的に設けられていることを特徴とする請求項４又は５記載のリーケージトランス。
【請求項７】
前記第１の巻枠部又は前記第２の巻枠部よりも上方に位置し、かつ前記二次巻線が巻回される前記巻枠部を構成する下方の鍔部には、前記二次巻線を当該巻枠部の底面までガイドするガイド溝が設けられていることを特徴とする請求項４から６のいずれか１項に記載のリーケージトランス。
【請求項８】
前記ガイド溝には、前記二次巻線を導入する導入口、および前記巻枠部の底面に連なる溝出口が設けられていると共に、上記導入口から上記溝出口に向かうにつれて、前記ガイド溝の底面が、多数段コイルボビンの内径側に向かうことを特徴とする請求項７記載のリーケージトランス。
【請求項９】
前記多数段コイルボビンには、絶縁カバーが取り付けられると共に、
この絶縁カバーは、少なくとも前記第１の巻枠部よりも上方に位置する前記巻枠部に対して巻回される前記二次巻線をガイドし、
該絶縁カバーは、前記二次巻線が巻回される当該巻枠部以外の巻枠部に対して絶縁させた状態とすることを特徴とする請求項１から８のいずれか１項に記載のリーケージトランス。
【請求項１０】
前記絶縁カバーには、
前記二次巻線の始端と当該二次巻線が巻回される前記巻枠部との間に設けられる第１絶縁カバーと、
前記巻枠部と前記二次巻線の終端との間に設けられる第２絶縁カバーと、
が設けられていることを特徴とする請求項９記載のリーケージトランス。
【請求項１１】
前記多数段コイルボビンは、
一方の側面から突出していると共に、前記二次巻線の始端が絡げられる第１の端子台と、
上記一方の側面とは反対側の他方の側面から突出していると共に、前記二次巻線の終端が絡げられる第２の端子台と、
を具備することを特徴とする請求項１から１０のいずれか１項に記載のリーケージトランス。
【発明の詳細な説明】
【技術分野】
【０００１】
本発明は、例えば、ＴＶモニターやパーソナルコンピュータの表示装置におけるバックライト用放電灯の点灯回路等に用いられる、ＤＣ／ＡＣインバータ回路等に使用されるリーケージトランスに関する。
【背景技術】
【０００２】
パーソナルコンピュータ等の表示装置は、バックライト用放電灯の点灯回路を具備している。この点灯回路においては、高電圧化によって表示装置を駆動させるためのリーケージトランスが、一般に用いられている。
【０００３】
この種のリーケージトランスとしては、例えば特許文献１に記載されている構成がある。この特許文献１の構成では、二次巻線が２つ並んだ状態で配置されると共に、一次巻線が２つの二次巻線の上部に差し掛かる状態で巻回されている構成が開示されている
【０００４】
【特許文献１】特開２００２−２９９１３４号公報（図５および図６参照）
【発明の開示】
【発明が解決しようとする課題】
【０００５】
上述したように、特許文献１記載の構成を具備するリーケージトランスでは、２つの二次巻線が平面方向に並んだ状態で配置されている。このため、上述のリーケージトランスは、平面方向において占める面積が大きくなってしまう。すなわち、当該リーケージトランスを、電子機器の回路基板に実装する場合、その実装面積が大きくなってしまう、という問題がある。
【０００６】
本発明は上記の事情にもとづきなされたもので、その目的とするところは、実装面積を小さくすることが可能となると共に、小さい実装面積であっても絶縁を確実に図ることができるリーケージトランスを提供しよう、とするものである。
【課題を解決するための手段】
【０００７】
上記課題を解決するために、本発明は、一次巻線と二次巻線との間で電磁誘導を行うと共に、これら一次巻線と二次巻線とがコアに収納されるリーケージトランスにおいて、複数の二次巻線の巻回に対応する個数分以上の巻枠部を有すると共に、該巻枠部が二次巻線の巻線方向が為す平面に垂直な方向に並べられた状態で配置されている多数段コイルボビンと、多数段コイルボビンの外周側に配置されると共に、一次巻線が巻回される巻枠部を有する一次用コイルボビンと、を具備し、多数段コイルボビンの夫々の巻枠部には夫々二次巻線が巻回されると共に、一次用コイルボビンの巻枠部には一次巻線が巻回されるものである。
【０００８】
このように構成した場合には、多数段コイルボビンの巻枠部の夫々には、二次巻線が夫々巻回される。そして、複数の二次巻線の巻回が為されると、それらの二次巻線は、上下方向に並べられた状態で配置される状態となる。さらに、複数の二次巻線が巻回されている多数段コイルボビンの外周側には、一次用コイルボビンが配置され、その一次用コイルボビンには、一次巻線が巻回される。それによって、複数の二次巻線に対して、近接する状態で一次巻線が配置される状態となる。それにより、一次巻線に交流電流が流れると、夫々の二次巻線に交流電流を生じさせることができる。
【０００９】
このような、複数の二次巻線を、１つの多数段コイルボビンに巻回させる構成を採用することにより、二次巻線が平面方向において占める面積を小さくすることができる。そのため、リーケージトランスを電子機器の回路基板に実装する場合、その実装面積を小さくすることができる。それにより、電子機器の小型化を図ることができると共に、電子機器の設計の自由度を向上させることができる。また、二次巻線の巻線数を同等とした場合には、夫々の二次巻線から同等の電圧の交流電圧を生じさせることができる。
【００１０】
また、他の発明は、一次巻線と二次巻線との間で電磁誘導を行うと共に、これら一次巻線と二次巻線とがコアに収納されるリーケージトランスにおいて、複数の二次巻線の巻回に対応する個数分以上の巻枠部を有すると共に、該巻枠部が二次巻線の巻線方向が為す平面に垂直な方向に並べられた状態で配置されている多数段コイルボビン、を具備し、多数段コイルボビンの夫々の巻枠部には夫々二次巻線が巻回されるものである。
【００１１】
このように構成した場合には、多数段コイルボビンの巻枠部の夫々には、二次巻線が夫々巻回される。そして、複数の二次巻線の巻回が為されると、それらの二次巻線は、上下方向に並べられた状態で配置される状態となる。それにより、二次巻線が平面方向において占める面積を小さくすることができる。そのため、リーケージトランスを電子機器の回路基板に実装する場合、その実装面積を小さくすることができる。それにより、電子機器の小型化を図ることができると共に、電子機器の設計の自由度を向上させることができる。
【００１２】
さらに、他の発明は、一次巻線と二次巻線との間で電磁誘導を行うと共に、これら一次巻線と二次巻線とがコアに収納されるリーケージトランスにおいて、複数の二次巻線の巻回に対応する個数分より多くの巻枠部を有すると共に、該巻枠部が二次巻線の巻線方向が為す平面に垂直な方向に並べられた状態で配置されている多数段コイルボビンを具備し、多数段コイルボビンの巻枠部のうち少なくとも１つには、一次巻線が巻回されると共に、該一次巻線が巻回された巻枠部以外の巻枠部には、二次巻線が巻回されるものである。
【００１３】
このように構成した場合には、多数段コイルボビンの巻枠部の夫々には、複数の二次巻線のみならず、一次巻線も巻回される。すなわち、二次巻線の巻線方向が為す平面に垂直な方向に、一次巻線も重ねられる。このため、一次用コイルボビンを多数段コイルボビンの外周側に配置する必要がなくなり、リーケージトランスの小径化を図ることが可能となる。また、その小径化によって、電子機器の回路基板への実装面積を一層小さくすることができる。それにより、電子機器の小型化を一層図ることができると共に、電子機器の設計の自由度を一層向上させることができる。
【００１４】
また、他の発明は、上述の各発明に加えて更に、多数段コイルボビンは、二次巻線が巻回されると共に、二次巻線が導入される側である最下部に位置する第１の巻枠部と、二次巻線が巻回されると共に、第１の巻枠部よりも上方に位置する第２の巻枠部と、を有するものである。
【００１５】
このように構成した場合には、第１の巻枠部と、第２の巻枠部の夫々に、二次巻線が巻回される。それにより、夫々の二次巻線から、所定の電圧の交流電圧を生じさせることができる。
【００１６】
さらに、他の発明は、上述の各発明に加えて更に、多数段コイルボビンは、巻枠部を３つ有し、当該３つの巻枠部のうち二次巻線が導入される側である最下部に位置する第１の巻枠部、およびこの第１の巻枠部に隣接する状態で該第１の巻枠部よりも上方に位置する第２の巻枠部には、二次巻線が夫々巻回されると共に、当該３つの巻枠部のうち最上部の巻枠部である第３の巻枠部には、一次巻線が巻回されるものである。
【００１７】
このように構成した場合には、下方から、二次巻線、二次巻線および一次巻線が配置される状態となる。この場合、第２の巻枠部に巻回される二次巻線が、第１の巻枠部に巻回される二次巻線よりも一次巻線に近い。そのため、同じ巻線数の場合、第２の巻枠部に巻回される二次巻線の方に生じる交流電圧の方が、入り込む磁束が多く、磁束の漏れが少なくなる。それにより、第２の巻枠部に巻回される二次巻線の方が、電圧値が高くなる。また、二次巻線の巻線方向が為す平面に垂直な方向に、一次巻線も重ねられるため、一次用コイルボビンを多数段コイルボビンの外周側に配置する必要がなく、リーケージトランスの小径化を図ることが可能となる。また、小径化によって、電子機器の回路基板への実装面積を一層小さくすることができ、電子機器の小型化を一層図ることができると共に、電子機器の設計の自由度を一層向上させることができる。
【００１８】
また、他の発明は、上述の各発明に加えて更に、第１の巻枠部を構成する下鍔部には、複数の二次巻線の始端および終端、一次巻線の始端および終端を絡げるための端子が一体的に設けられているものである。
【００１９】
このように構成した場合には、下鍔部と一体的に設けられている端子には、一次巻線および二次巻線の始端および終端がそれぞれ絡げられる。この場合、下鍔に対して端子が一体的に設けられるので、回路基板にリーケージトランスを実装し易くなる。
【００２０】
さらに、他の発明は、上述の各発明に加えて更に、第１の巻枠部又は第２の巻枠部よりも上方に位置し、かつ二次巻線が巻回される巻枠部を構成する下方の鍔部には、二次巻線を当該巻枠部の底面までガイドするガイド溝が設けられているものである。
【００２１】
このように構成した場合には、二次巻線が巻回される巻枠部のうち、少なくとも第１の巻枠部よりも上方に位置する巻枠部に、二次巻線が巻回される。その際に、ガイド溝を介して、良好に二次巻線を当該上方の巻枠部の底面までガイドすることが可能となる。この場合、二次巻線を当該底面まで良好にガイドできるので、当該上方の巻枠部に対する二次巻線の巻き始め部分が、巻回の妨げとなるのを防ぐことができ、また巻枠部のスペースを良好に活用することが可能となる。
【００２２】
また、他の発明は、上述の各発明に加えて更に、ガイド溝には、二次巻線を導入する導入口、および巻枠部の底面に連なる溝出口が設けられていると共に、導入口から溝出口に向かうにつれて、ガイド溝の底面が、多数段コイルボビンの内径側に向かうこととしたものである。
【００２３】
このように構成した場合には、二次巻線が、導入口から溝出口へ向かうにつれて、徐々に多数段コイルボビンの内径側へと向かう。そのため、二次巻線を上方の巻枠部に向けて、良好にガイドすることができる。
【００２４】
さらに、他の発明は、上述の各発明に加えて更に、多数段コイルボビンには、絶縁カバーが取り付けられると共に、この絶縁カバーは、少なくとも第１の巻枠部よりも上方に位置する巻枠部に対して巻回される二次巻線をガイドし、該絶縁カバーは、二次巻線が巻回される当該巻枠部以外の巻枠部に対して絶縁させた状態とするものである。
【００２５】
このように構成した場合には、二次巻線は、絶縁カバーによって、第１の巻枠部よりも上方に位置する巻枠部に向かってガイドされる。その際に、絶縁カバーによって、他の巻枠部に対して当該二次巻線の絶縁を図ることができる。それにより、多数段コイルボビンを用いる場合でも、夫々の巻枠部に対して良好に二次巻線を巻回させることができる。また、例えば第１の巻枠部に巻回されている二次巻線との間で、短絡を防止することができ、リーケージトランスが破損するのを防ぐことができる。
【００２６】
また、他の発明は、上述の各発明に加えて更に、絶縁カバーには、二次巻線の始端と当該二次巻線が巻回される巻枠部との間に設けられる第１絶縁カバーと、巻枠部と二次巻線の終端との間に設けられる第２絶縁カバーと、が設けられているものである。
【００２７】
このようにした場合には、二次巻線は、第１絶縁カバーを用いて、第１の巻枠部等に対して絶縁を維持しながら、当該二次巻線の始端から第２の巻枠部側に向けてガイドされる。また、二次巻線は、第２絶縁カバーを用いて、第１の巻枠部等に対して絶縁を維持しながら、第２の巻枠部から当該二次巻線の終端側に向けてガイドされる。そのため、二次巻線の始端側および終端側と、第１の巻枠部よりも上方に位置する巻枠部との間が分離される。それにより、二次巻線の始端側と終端側との間の短絡を互いに防止しながら、ガイドすることができる。
【００２８】
さらに、他の発明は、上述の各発明に加えて更に、多数段コイルボビンは、一方の側面から突出していると共に、二次巻線の始端が絡げられる第１の端子台と、一方の側面とは反対側の他方の側面から突出していると共に、二次巻線の終端が絡げられる第２の端子台と、を具備するものである。
【００２９】
このように構成した場合には、二次巻線の始端と終端とが、夫々別々の端子台に設けられている端子に絡げられる。そのため、電位差の大きい二次巻線の始端と終端とを、別々の部位に位置させることができ、当該二次巻線の短絡を防止することが可能となる。
【発明の効果】
【００３０】
本発明によると、リーケージトランスの実装面積を小さくすることができる。また、小さい実装面積であっても、リーケージトランスにおける絶縁を確実に図ることができる。
【発明を実施するための最良の形態】
【００３１】
（第１の実施の形態）
以下、本発明の第１の実施の形態に係るリーケージトランスについて、図１から図１２に基づいて説明する。図１は、リーケージトランス１０の構成を示す分解斜視図であり、図２は、リーケージトランス１０の全体を示す斜視図である。また、図３はリーケージトランス１０の平面図、図４は同じく側面図、図５は同じく正面図、図６は同じく背面図を示す。また、図７は、リーケージトランス１０の側断面図である。
【００３２】
リーケージトランス１０は、図１に示すように、ケースコア２０と、二段コイルボビン３０と、第１絶縁カバー５０と、第２絶縁カバー６０と、一次用コイルボビン７０と、蓋コア８０と、を主要な構成要素としている。
【００３３】
これらのうち、ケースコア２０と蓋コア８０は、絶縁性を備えた磁性材から構成されている。当該磁性材の一例として、ニッケル系のフェライトコアが挙げられる。しかしながら、ケースコア２０と蓋コア８０の材質はこれには限られず、パーマロイ等、他の磁性材であっても良い。また、二段コイルボビン３０および一次用コイルボビン７０は、例えば樹脂等の絶縁かつ励磁されない材質から構成されている。
【００３４】
図１に示すように、ケースコア２０は、コアの一部を構成する要素であり、平面形状が略矩形である直方体形状に形成されている。また、ケースコア２０は、長手方向（図１〜図４において略左右の方向）の両端側に側壁２１を有していて、この側壁２１で囲まれる部分が、二段コイルボビン３０等が設置される凹陥部２２となっている。そのため、凹陥部２２は、ケースコア２０の長手方向の両端側においては側壁２１で閉塞されているものの、該ケースコア２０の短手方向（図３において略上下の方向）の縁部は開放されている。
【００３５】
また、ケースコア２０には、１本の柱脚部２３が設けられている。柱脚部２３は、凹陥部２２の略中心部分から上方に向かって突出している。この柱脚部２３には、二段コイルボビン３０の中心孔３０ａに差し込まれる。
【００３６】
なお、以下の説明では、上方側とは、ケースコア２０の底面２０ａから見て、蓋コア８０が取り付けられる側を指す。また、下方側とは、蓋コア８０の取り付け側から見て、ケースコア２０の底面２０ａ側を指す。
【００３７】
また、多数段コイルボビンとしての二段コイルボビン３０は、図１、図８および図９に示すように、二次巻線９１を巻回する巻線部３１と、この巻線部３１と一体的に設けられている第１の端子台３２および第２の端子台３３を有している。
【００３８】
巻線部３１は、略円形状の平面形状を有している。また、巻線部３１には、下方から上方に向かって、下鍔部３１ａ、中鍔部３１ｂ、および上鍔部３１ｃが順次設けられている。ここで、下鍔部３１ａと中鍔部３１ｂとで囲まれる間の部位は、第１の巻枠部３４ａとなっていて、ここに二次巻線９１を巻回する。また、中鍔部３１ｂと上鍔部３１ｃとで囲まれる部位は、第２の巻枠部３４ｂとなっていて、ここにも二次巻線９１を巻回する。
【００３９】
また、下鍔部３１ａ、中鍔部３１ｂおよび上鍔部３１ｃは、その平面形状が略円形状となるように設けられている。また、下鍔部３１ａ、中鍔部３１ｂおよび上鍔部３１ｃが上下方向に配置されることにより、巻線部３１の形状は、その外観形状が二段の窪み部を有するプーリ形状となっている（図１、図８および図９参照）。
【００４０】
なお、以下の説明では、２つの二次巻線９１を区別するために、第１の巻枠部３４ａに巻回される二次巻線９１を、二次巻線９１ａとする（図７参照）。また、第２の巻枠部３４ｂに巻回される二次巻線９１を、二次巻線９１ｂとする。また、これら両方の二次巻線９１ａ，９１ｂを総称する場合には、単に二次巻線９１とする。
【００４１】
また、図８に示すように、中鍔部３１ｂには、当該中鍔部３１ｂの外周面から凹んでいる中鍔凹部３６ａ，３６ｂが設けられている。このうち、中鍔凹部３６ａには、第１絶縁カバー５０が嵌め込まれると共に、中鍔凹部３６ｂには、第２絶縁カバー６０が嵌め込まれる。なお、かかる嵌め込みは、後述するように、二次巻線９１ａが第１の巻枠部３４ａに対して巻回された後に、行われる。
【００４２】
また、図８および図９に示すように、中鍔部３１ｂには、ガイド溝３７が設けられている。ガイド溝３７は、中鍔凹部３６ｂに嵌め込まれる第１絶縁カバー５０によってガイドされる二次巻線９１ｂを、第２の巻枠部３４ｂにガイドするための部分である。かかるガイドを良好にするために、ガイド溝３７の底面３７ｃの高さ位置は、溝入口３７ａから溝出口３７ｂに向かうにつれて、徐々に二段コイルボビン３０の内径側に向かうように、傾斜している。なお、ガイド溝３７の溝入口３７ａから入り込んだ二次巻線９１ｂを、第２の巻枠部３４ｂ側に導出させるために、ガイド溝３７のうち中鍔凹部３６ａから離間する側には、溝出口３７ｂが設けられている。
【００４３】
ここで、本実施の形態では、第２の巻枠部３４ｂの底面３４b1よりも、中鍔凹部３６ａの凹部底面３６a1の高さ位置の方が、外径側に向かって突出している。そのため、底面３７ｃの高さ位置は、中鍔凹部３６ａ側から離れるにつれて、内径側に向かうように傾斜している。なお、溝出口３７ｂ付近の底面３７ｃの径方向における高さ位置は、第２の巻枠部３４ｂの底面３４の径方向における高さ位置と同程度となっている。
【００４４】
なお、上述のガイド溝３７を形成するために、中鍔部３１ｂは、下鍔部３１ａおよび上鍔部３１ｃと比較して、最も幅が広く（紙面方向では高さが高く）なるように設けられている。
【００４５】
また、中鍔部３１ｂのうち、溝出口３７ｂの近傍には、突起３７ｄが設けられている。突起３７ｄは、外径側に向かうように突出している。この突起３７ｄは、二次巻線９１ｂを第２の巻枠部３４ｂに巻回させる際に、巻線機ノズルの案内用のための部分である。また、突起３７ｄは、一次用コイルボビン７０を取り付けるに際して、二段コイルボビン３０に対する位置決めのための部材である。
【００４６】
なお、突起３７ｄに対応させて、後述する一次用コイルボビン７０には、その内壁面に当該突起３７ｄの差し込みに対応する縦溝が設けられている。また、上鍔部３１ｃにも、突起３７ｄと同様の突起を設けるようにしても良い。
【００４７】
また、下鍔部３１ａにも、当該下鍔部３１ａの外周面から凹んでいる下鍔凹部３５ａ，３５ｂが設けられている。下鍔凹部３５ａ，３５ｂは、上述した中鍔凹部３６ａ，３６ｂと、上下方向に向かう同一直線に沿うように配置されている。この下鍔凹部３５ａ，３５ｂにも、第１絶縁カバー５０および第２絶縁カバー６０が夫々嵌め込まれる。また、下鍔凹部３５ａの近傍には、後述する導出部４３ｃが設けられている。
【００４８】
また、第１の端子台３２および第２の端子台３３は、図１においては、巻線部３１よりも下方側に位置している。第１の端子台３２は、図１において手前側、図３において下方側に突出している。この第１の端子台３２には、側面３２ａと、側面３２ｂおよび側面３２ｃとが設けられている。このうち、側面３２ａは、リーケージトランス１０の短手方向に対して直交する側面である。
【００４９】
また、側面３２ｂ，３２ｃは、側面３２ａに沿う直線に対して所定の角度α（以後、傾斜角度αという）を為すように設けられている。傾斜角度αは、本実施の形態では、４５度となっている。しかしながら、傾斜角度αは、４５度には限られず、後述する絡げ端子４０の傾斜角度と同様に、適宜の傾斜角度に設定することができる。また、図１に示すように、側面３２ｂ，３２ｃは、側面３２ａの両端側の部分に設けられている。
【００５０】
図３、図８等に示すように、側面３２ａからは、端子３８が突出している。本実施の形態では、端子３８は、例えば７つ設けられている。なお、以下の説明では、端子３８を個別に呼ぶ場合、端子３８ａ〜３８ｇのいずれかとする。これらの７つの端子３８ａ〜３８ｇは、下方に向かって降下する下方突出部３９ａを有すると共に、下端側が設置部位に対して略水平となる面実装部３９ｂを有している。そして、各々の端子３８ａ〜３８ｇと設置部位との間で半田付けを行うことにより、端子３８ａ〜３８ｇと設置部位の回路基板とは、電気的に接続される。また、端子３８の個数は、７つに限定されず、例えば５つ等、種々変更可能である。
【００５１】
また、本実施の形態では、端子３８ｂ〜３８ｆのうち、所定の端子３８には、一次巻線９０の一端側および他端側が絡げられる。なお、以下の説明では、端子３８ｂ〜３８ｆを、一次側端子３８ｂ〜３８ｆとする。また、後述するように、端子３８ａ，３８ｇを、グラウンド端子３８ａ，３８ｇとする。しかしながら、両者をまとめて呼ぶ場合、単に端子３８ａ〜３８ｇとする。
【００５２】
一次側端子３８ｂ〜３８ｆのうちの２つには、一次巻線９０の一端側又は他端側が絡げられている。なお、これら一次側端子３８ｂ〜３８ｆのうち、一端側および他端側が絡げられる２つは、適宜選択可能である。
【００５３】
また、図１〜図６に示すように、２つの側面３２ｂ，３２ｃからは、絡げ端子４０が突出している。絡げ端子４０は、側面３２ｂ，３２ｃの法線方向に向かって突出している。なお、絡げ端子４０のうち、側面３２ｂに存在する絡げ端子４０を、絡げ端子４０ａと呼ぶ。また、絡げ端子４０のうち、側面３２ｃに存在する絡げ端子４０を、絡げ端子４０ｂと呼ぶ。しかしながら、両者を総称する場合には、単に絡げ端子４０と呼ぶ。
【００５４】
また、本実施の形態では、側面３２ｂ，３２ｃは、リーケージトランス１０の短手方向に対して約４５度を為している。そのため、絡げ端子４０は、端子３８ａ〜３８ｇに対して、約４５度を為すように配置されている。すなわち、図３に示すように、絡げ端子４０の先端の方向が、側面３２ａと為す傾斜角度αは、約４５度となっている。
【００５５】
なお、傾斜角度αは、約４５度には限られず、絡げ端子４０に近接しているグラウンド端子３８ａに対して所定の隙間を生じさせる角度であって、二次巻線９１の一端側を良好に絡げることが可能な角度範囲であれば、どのような角度範囲であっても良い。この傾斜角度αの範囲としては、例えば２０〜９０度の範囲とすることが挙げられる。
【００５６】
また、傾斜角度αは、３０〜６０度の範囲であれば、絡げ端子４０の先端側が、グラウンド端子３８ａの先端側に対して有効に広げられる。そのため、二次巻線９１を、絡げ端子４０に良好に巻回させることが可能となる。さらに、絡げ端子４０は、側面３２ｂ，３２ｃの法線方向へ向かって突出する構成には限られず、側面３２ｂ，３２ｃの法線方向に対して斜めに突出する構成を採用しても良い。
【００５７】
また、傾斜角度αが約９０度の場合には、当該絡げ端子４０は、端子３８ａ〜３８ｇに対して斜め方向に突出しているとはいえないが、本実施の形態では、かかる約９０度の場合も、斜め方向への突出に含めることとする。
【００５８】
図４および図５に示すように、絡げ端子４０は、端子３８ａ〜３８ｇと略同一の高さ位置から外方に向かって突出している。しかしながら、絡げ端子４０は、端子３８ａ〜３８ｇよりもその大きさが小さい。すなわち、絡げ端子４０は、端子３８ａ〜３８ｇよりも突出長さ寸法が短く、また幅寸法が小さく、さらに高さ寸法も小さくなっている。しかしながら、絡げ端子４０は、二次巻線９１を所定の回数だけ巻回させて、絡げるのに十分な大きさを有している。
【００５９】
また、絡げ端子４０は、グラウンド端子３８ａに対して電気的に接続されている。この場合、絡げ端子４０とグラウンド端子３８ａとは、例えば金属の一体成形物であっても良く、また別途の導線等を介して互いに接続されていても良い。また、グラウンド端子３８ａは、不図示の回路基板のグラウンド側に接続される。このため、絡げ端子４０が電位の基準となるように設けられている。
【００６０】
また、第２の端子台３３は、図１および図２において奥側、図３において紙面の上方側に突出している部分である。第２の端子台３３は、本実施の形態では、２つ設けられている。また、図３、図５、図６および図８に示すように、第１の端子台３２と同様に、第２の端子台３３のうち、二段コイルボビン３０の中心から見て外径側の側面からは、端子４１が突出している。本実施の形態では、端子４１は、例えば４つ設けられている。なお、以下の説明では、端子４１を個別に呼ぶ場合、端子４１ａ〜４１ｄとする。また、必要に応じて、第２の端子台３３のうち、図３において左側に位置する第２の端子台３３を、第２の端子台３３ａと呼び、図３において右側に位置する第２の端子台３３を、第２の端子台３３ｂと呼ぶ。また、これらを区別する必要がなく、総称する場合には、単に第２の端子台３３と呼ぶ。
【００６１】
また、上述の４つの端子４１ａ〜４１ｄのうち、内側には突出長さの短い端子４１ｂ，４１ｃが設けられていると共に、外側には突出長さの長い端子４１ａ，４１ｄが設けられている。これら端子４１ｂ、４１ｃのうち、一方側には、二次巻線９１の他端側が絡げられる。なお、以下の説明では、二次巻線９１の他端側が絡げられる端子４１ｂ，４１ｃを、特に絡げ端子４１ｂ，４１ｃと呼ぶ。本実施の形態では、絡げ端子４１ｂおよび絡げ端４１ｃの両者とも、二次巻線９１の他端側が絡げられる。
【００６２】
また、端子４１ａと絡げ端子４１ｂは、互いに導通すると共に、絡げ端子４１ｃと端子４１ｄは、互いに導通している。そのため、一次巻線９０によって励磁された二次巻線９１は、所定の電位を、絡げ端子４１ｂから端子４１ａ、絡げ端子４１ｃから端子４１ｄにそれぞれ出力する。また、端子４１ａおよび端子４１ｄは、夫々回路基板上に接続されるため、当該励磁によって生じた交流電流は、この回路基板に存在する所定の回路に流れる。
【００６３】
また、端子４１ａ，４１ｄは、上述した端子３８ａ〜３８ｇと同様に、下方に向かって降下する下方突出部４２ａを有すると共に、下端側が設置部位に対して略水平となる面実装部４２ｂを有している。
【００６４】
また、図６および図８に示すように、第１の端子台３２および第２の端子台３３の背面側には、複数の導出部４３が設けられている。導出部４３は、二次巻線９１を、巻回部分から外部の絡げ端子４０、および絡げ端子４１ｂ，４１ｃのいずれかに向かって導出させる際に、当該二次巻線９１の導線（不図示）が位置する凹み部分（切欠部分）である。この導出部４３には、突起４４が設けられている。突起４４は、その外面側で導線を受け止めることが可能な部分である。
【００６５】
なお、図８に示すように、以下の説明において導出部４３を区別する場合、第１の端子台３２に存在する導出部４３のうち、下鍔凹部３５ｂに近いものを導出部４３ａと呼び、下鍔凹部３５ｂから遠いものを導出部４３ｂと呼ぶ。また、第２の端子台３３に存在する導出部４３のうち、下鍔凹部３５ａに近いものを導出部４３ｃと呼び、下鍔凹部３５ａから遠いものを導出部４３ｄと呼ぶ。
【００６６】
また、以下の説明において、突起４４を区別する場合、導出部４３ａに存在する突起４４を突起４４ａと呼び、導出部４３ｂに存在する突起４４を突起４４ｂと呼ぶ。また、導出部４３ｃに存在する突起４４を突起４４ｃと呼び、導出部４３ｄに存在する突起４４を突起４４ｄと呼ぶ。
【００６７】
また、図８に示すように、導出部４３ａ〜４３ｄの内径側には、突出ピン４５が設けられている。突出ピン４５も、上述の突起４４と同様に、二次巻線９１を引っ掛けるための部分である。なお、以下の説明では、必要に応じて、導出部４３ａに存在する突出ピン４５を突出ピン４５ａ、導出部４３ｂに存在する突出ピン４５を突出ピン４５ｂ、導出部４３ｃに存在する突出ピン４５を突出ピン４５ｃ、導出部４３ｄに存在する突出ピン４５を突出ピン４５ｄと呼ぶ。
【００６８】
また、図６および図８に示すように、一対の第２の端子台３３ａ，３３ｂの間の部位には、切欠部４６が設けられている。切欠部４６には、上述の導出部４３に配設される導線が位置し、当該導線は、この切欠部４６を通過して第１の巻枠部３４ａ側に向けて導出される。また、図１および図１０に示すように、ケースコア２０の底面２０ａには、側壁２１側よりも当該ケースコア２０の長手方向に沿う中心軸線（不図示）に向かって凹んだ一対の嵌合凹部２４が設けられている。嵌合凹部２４には、第１の端子台３２又は第２の端子台３３が嵌合される。
【００６９】
また、図１に示すように、絶縁カバーとしての第１絶縁カバー５０は、その背面が中鍔凹部３６ａおよび下鍔凹部３５ａに接触する状態で嵌め込まれる。そのため、第１絶縁カバー５０の背面は、中鍔凹部３６ａおよび下鍔凹部３５ａに倣う形状に形成されている。この第１絶縁カバー５０には、当該第１絶縁カバー５０の他の部分よりも窪んでいる溝部５１が設けられている。溝部５１には、二次巻線９１ｂが位置する。この溝部５１は、上下方向（ケースコア２０と蓋コア８０とを結ぶ方向）に沿う配置となる。
【００７０】
溝部５１の近傍には、突起５２が設けられている。突起５２は、二次巻線９１ｂを、ガイド溝３７に向かわせるように方向転換するに際して、当該二次巻線９１ｂを引っ掛けたり巻回させる部分である。この突起５２の存在により、二次巻線９１ｂは溝部５１から外れない状態となる。なお、突起５２は、溝部５１の上部側に設けられている。
【００７１】
また、第１絶縁カバー５０の下方であって、図１１において左側の部分には、当該第１絶縁カバー５０の隅角部を略矩形状に欠損させたコーナ切取部５３が設けられている。コーナ切取部５３は、下鍔部３１ａおよび第２の端子台３３ａと、第１絶縁カバー５０とが干渉しないようにするための切欠部分である。
【００７２】
また、図１２に示すように、絶縁カバーとしての第２絶縁カバー６０も、上述の第１絶縁カバー５０と同様に、その背面が中鍔凹部３６ｂおよび下鍔凹部３５ｂに接触する状態で嵌め込まれる。このため、当該背面は、中鍔凹部３６ｂおよび下鍔凹部３５ｂに倣う形状に形成されている。また、第２絶縁カバー６０にも、溝部６１および突起６２が形成されている。この突起６２も、溝部６１の上部側に設けられている。また、第２絶縁カバー６０には、導出ガイド部６３が設けられている。導出ガイド部６３は、第２絶縁カバー６０のうちで、最初に二次巻線９１ｂが差し掛かり、当該二次巻線９１ｂを受け止めるための部分である。
【００７３】
なお、本実施の形態では、溝部６１は、その上方側が略三角溝となるように形成されていると共に、その下方が略円形溝となるように形成されている。
【００７４】
また、二段コイルボビン３０、この二段コイルボビン３０に取り付けられる第１絶縁カバー５０および第２絶縁カバー６０の外側には、一次用コイルボビン７０が配置される。一次用コイルボビン７０の中心部分には、中心孔７０ａが設けられている。中心孔７０ａには、上述の二段コイルボビン３０が嵌め込まれる。そのため、中心孔７０ａは、上述の二段コイルボビン３０の下鍔部３１ａ、中鍔部３１ｂおよび上鍔部３１ｃの外周部分の外径に対応した内径を有している。
【００７５】
また、一次用コイルボビン７０は、図１に示すように、下鍔部７１ａと上鍔部７１ｂを有していて、両者の間に巻枠部７２が１つ設けられている。すなわち、一次用コイルボビン７０の外観は、略プーリ状となっている。また、下鍔部７１ａには、間欠部７３が設けられている。この間欠部７３は、第１の端子台３２側に向かう状態で配置される。
【００７６】
また、一次用コイルボビン７０は、二段コイルボビン３０と共に、ケースコア２０の凹陥部２２に嵌め込まれる。この場合、一次用コイルボビン７０は、二段コイルボビン３０の外周側に位置し、その外径が当該二段コイルボビン３０よりも大きい。そのため、凹陥部２２の内径も、一次用コイルボビン７０の外径に対応させ、一次用コイルボビン７０よりも若干大きく設けられている。
【００７７】
また、一次用コイルボビン７０には、その中心孔７０ａを構成する内壁面に、不図示の縦溝が設けられている。この縦溝に、上述の突起３７ｄが嵌め込まれることにより、一次用コイルボビン７０は、ラジアル方向の位置決めが為される。また、一次用コイルボビン７０は、第１絶縁カバー５０および第２絶縁カバー６０が嵌め込まれる部分が、他の部分よりも筒壁が外径側に突出している突出部７４を有している。
【００７８】
また、ケースコア２０の上部には、コアの構成要素となる蓋コア８０が位置する。蓋コア８０には、例えば図７に示すように、上述の凹陥部２２に対応する、凹部８１が形成されている。凹部８１には、上述の柱脚部２３と対向するように、突出長さの短い突出部８２が設けられている。この突出部８２は、蓋コア８０がケースコア２０に取り付けられた状態で、柱脚部２３に対して、僅かな隙間を有する状態で対向する。
【００７９】
なお、本実施の形態では、突出部８２は、二段コイルボビン３０の中心孔３０ａに差し込まれない。しかしながら、突出部８２も、柱脚部２３と共に、二段コイルボビン３０の中心孔３０ａに差し込まれるように構成しても良い。この場合には、柱脚部２３の上端よりも、二段コイルボビン３０の上端面の高さ位置を高くすれば良い。このようにすれば、突出部８２が中心孔３０ａに差し込まれるため、蓋コア８０がずれるのを防ぐことができる。
【００８０】
また、蓋コア８０の凹部８１に、突出部８２等を設けずにフラットな構成としても良い。この場合、柱脚部２３が側壁２１より若干短く、柱脚部２３と蓋コア８０との間にギャップが形成されるように構成しても良い。
【００８１】
以上のような構成を有するリーケージトランス１０の製造方法について、以下に説明する。
【００８２】
まず、二次巻線９１ａの一端側を、絡げ端子４１ｃに絡げさせる（図６参照）。この絡げに続いて、二次巻線９１ａを引き出して、二次巻線９１ａを、導出部４３ｄに位置させる。また、二次巻線９１ａは、突起４４ｄに引っ掛けられ、続いて突出ピン４５ｄに引っ掛けられ、その後に切欠部４６に向かうように方向転換される。この方向転換の後に、二次巻線９１ａは切欠部４６を通って、第１の巻枠部３４ａに入り込む。なお、二次巻線９１ａは、図３等において、例えば時計回りとなるように、第１の巻枠部３４ａに巻回される。しかしながら、二次巻線９１ａの巻回方向を、図３等において反時計回りとしても良い。
【００８３】
第１の巻枠部３４ａに対して二次巻線９１ａが十分に巻回されると、当該二次巻線９１ａは、第１の巻枠部３４ａの外方に向かって導出される。この場合、二次巻線９１ａは、第１絶縁カバー５０および第２絶縁カバー６０が設けられる側とは反対側の周部分（図６において左側）であって、第１の端子台３２の近傍から外方に向かって導出される。導出後、二次巻線９１ａは、導出部４３ｂの内部に配設され、絡げ端子４０ｂまでガイドされる。そして、二次巻線９１ａは、絡げ端子４０ｂに対して絡げられ、その絡げが終了した後に断線される。なお、この配設に際しては、二次巻線９１ａが突出ピン４５ｂおよび突起４４ｂに引っ掛けられるが、突起４４ｂに対して二次巻線９１ａを巻回させるようにしても良い。以上のようにして、第１の巻枠部３４ａに対する二次巻線９１ａの巻回が終了する。
【００８４】
次に、第２の巻枠部３４ｂに対して、二次巻線９１ｂを巻回する作業を実行する。その作業に先立って、まず下鍔凹部３５ａと中鍔凹部３６ａ、および下鍔部３５ｂと中鍔凹部３６ｂの夫々に、第１絶縁カバー５０および第２絶縁カバー６０を取り付ける。その後に、絡げ端子４１ｂに二次巻線９１ｂの一端側を絡げる。その後、二次巻線９１ｂは、導出部４３ｃの内部に配設され、突起４４ｃに当該二次巻線９１ｂが引っ掛かる状態となる。また、二次巻線９１ａは、突出ピン４５ｃに引っ掛けられ、その後に方向転換が為され、溝部５１へと入り込まされる。
【００８５】
溝部５１に二次巻線９１ｂが入り込んだ後、この溝部５１を下方から上方に向かうように、二次巻線９１ｂがガイドされる（図１１参照）。そして、溝部５１の上端において、二次巻線９１ｂは、突起５２に引っ掛けられるか、または巻回されて、ガイド溝３７側に向けて方向転換される。その後、二次巻線９１ｂは、溝入口３７ａからガイド溝３７に入り込み（図９参照）、当該二次巻線９１ｂが溝入口３７ａまでガイドされ、当該溝出口３７ｂから第２の巻枠部３４ｂの内部に延出される。
【００８６】
第２の巻枠部３４ｂに二次巻線９１ｂが入り込むと、その二次巻線９１ｂは、時計回りに巻回される。なお、二次巻線９１ｂの巻回方向は、時計回りには限られず、反時計回りに巻回するようにしても良い。
【００８７】
二次巻線９１ｂが、第２の巻枠部３４ｂに所定の巻線数だけ巻回され、それ以上巻回する必要がなくなると、二次巻線９１ｂが、第２絶縁カバー６０の導出ガイド部６３に乗り上げる（図１２参照）。続いて、二次巻線９１ｂは、突起６２に引っ掛けられ、方向転換が為されて溝部６１に入り込む。なお、突起６２には、二次巻線９１ｂを巻回させても良い。
【００８８】
続いて、二次巻線９１ｂが溝部６１を通過する状態とし、この溝部６１の下端において隣接する導出部４３ａに入り込む。この際に、突出ピン４５ａに二次巻線９１ｂが引っ掛けられて、該二次巻線９１ｂの方向転換が為される（図６および図８参照）。なお、この場合も、突出ピン４５ａに対して二次巻線９１ｂを巻回させても良い。また、二次巻線９１ｂが導出部４３ａの端部まで到達した場合にも、二次巻線９１ｂは、突起４４ａに引っ掛けられるか、または巻回される。そして、二次巻線９１ｂは、絡げ端子４０ａに対して絡げられる。以上のようにして、第２の巻枠部３４ｂに対する二次巻線９１ｂの巻回が終了する。
【００８９】
続いて、二段コイルボビン３０に対して、一次用コイルボビン７０が挿入される（図１、図２および図７参照）。それによって、二次巻線９１は、一次用コイルボビン７０によって覆われる状態となる。続いて、一次巻線９０の一端側は、端子３８ｂ〜３８ｆのうちいずれかに絡げられる。その後、一次巻線９０は、第１の端子台３２の上方側に向かってガイドされる。そして、この一次巻線９０が、間欠部７３を介して巻枠部７２に入り込む。なお、この場合、一次巻線９０は、間欠部７３のうちの、図１において反時計回り側の端部に位置している。
【００９０】
巻枠部７２においては、一次巻線９０は、図３において反時計回りに巻回させられる。そして、巻枠部７２における一次巻線９０の所定巻数分の巻回が終了すると、一次巻線９０は、再び間欠部７３を介して、巻枠部７２の外部へとガイドされる。なお、この場合、一次巻線９０は、間欠部７３のうちの時計回り側の端部に位置する状態となる。
【００９１】
ここで、一次巻線９０の巻回方向は、上述したような反時計回りには限られず、時計回り方向に巻回させても良い。時計回り方向に一次巻線９０を巻回させた場合には、一次巻線９０の巻き始めにおいては、一次巻線９０が、間欠部７３のうちの時計回り側の部位に存在する状態となる。また、時計回り方向に一次巻線９０を巻回した場合、当該一次巻線９０の巻き終わりの状態においては、一次巻線９０が、間欠部７３のうちの反時計回り側の部位に存在する状態となる。
【００９２】
間欠部７３から延出された一次巻線９０は、上述した端子３８ｂ〜３８ｆのうちのいずれかとは別の端子３８ｂ〜３８ｆに向かって延伸される。その後、一次巻線９０は、当該端子３８ｂ〜３８ｆに絡げられ、その後に一次巻線９０は断線される。以上のようにして、一次巻線９０の巻回が終了する。
【００９３】
この後に、一次用コイルボビン７０が嵌め込まれている状態の二段コイルボビン３０の中心孔３０ａが、柱脚部２３に挿入させる（図１参照）。それにより、一次用コイルボビン７０および二段コイルボビン３０が、凹陥部２２に嵌め込まれた状態となる（図２〜図５参照）。
【００９４】
次に、凹陥部２２を塞ぐように、蓋コア８０をケースコア２０に対して取付固定する（図７、図１０参照）。また、図１および図２において手前側および奥側に、不図示の側壁コアを取り付け、凹陥部２２の手前側および奥側を塞ぐようにしても良い。このようにすれば、凹陥部２２の開放部分が側壁コアで塞がれて、磁束が外部に漏れるのを低減する。
【００９５】
以上のような工程を実行することにより、リーケージトランス１０は、図２〜図７に示すような完成状態となる。なお、リーケージトランス１０の完成後、端子３８ａ〜３８ｇ，３８ａ，３８ｄの先端側を半田槽に浸して、当該先端側に半田を塗布する。そして、この先端側と、不図示の回路基板の所定部位との間の位置合わせを行い、両者を接合させる。この場合、回路基板側にも、半田が塗布された状態で接合させるようにしても良い。
【００９６】
このような構成のリーケージトランス１０によれば、二段コイルボビン３０の第１の巻枠部３４ａおよび第２の巻枠部３４ｂの夫々に、二次巻線９１ａ，９１ｂを巻回させる構成のため、２つの二次巻線９１ａ，９１ｂを二段コイルボビン３０の上下方向に重ねて配置することができる。それによって、二次巻線９１ａ，９１ｂが平面方向において占める面積を小さくすることができる。すなわち、リーケージトランス１０をコンパクトな構成にすることができる。
【００９７】
また、二次巻線９１ａ，９１ｂが平面方向において占める面積を小さくすることができるので、リーケージトランス１０を電子機器の回路基板に実装する場合、その実装面積を小さくすることができる。それにより、電子機器の小型化を図ることができると共に、電子機器の設計の自由度を向上させることができる。また、二次巻線９１ａ，９１ｂの巻線数を同等とした場合には、夫々の二次巻線９１ａ，９１ｂから同等の電圧の交流電流を生じさせることができる。
【００９８】
さらに、下鍔部３１ａには、二次巻線９１ａ，９１ｂの始端および終端を絡げるための絡げ端子４０ａ，４０ｂ，４１ｂ，４１ｃが一体的に設けられている。そのため、二次巻線９１ａ，９１ｂを巻回させ易くなると共に、回路基板に対してリーケージトランス１０を実装させ易くなる。
【００９９】
また、中鍔部３１ｂには、ガイド溝３７が設けられている。このため、ガイド溝３７を介して第２の巻枠部３４ｂの底面３４b1まで、二次巻線９１ｂをガイドすることが可能となる。それによって、第２の巻枠部３４ｂに対する二次巻線９１ｂの巻き始め部分が、当該第２の巻枠部３４ｂにおける巻回の妨げとなるのを防ぐことができる。また、二次巻線９１ｂの巻回に際して、第２の巻枠部３４ｂのスペースを良好に活用することが可能となる。
【０１００】
また、ガイド溝３７は、溝入口３７ａから溝出口３７ｂに向かうにつれて、当該ガイド溝３７の底面３７ｃが二段コイルボビン３０の内径側に向かうように傾斜している。そのため、二次巻線９１ｂを第２の巻枠部３４ｂの底面３４b1に向けて、良好にガイドすることができる。
【０１０１】
さらに、二段コイルボビン３０には、第１絶縁カバー５０および第２絶縁カバー６０が取り付けられる。そのため、これら第１絶縁カバー５０および第２絶縁カバー６０を介して、二次巻線９１ｂを第２の巻枠部３４ｂまでガイドすることにより、第１の巻枠部３４ａに巻回されている二次巻線９１ｂに対して、絶縁を図った状態を維持できる。すなわち、互いに短絡しないようにしながら、二次巻線９１ｂを上下方向に配置する構成が実現できる。また、短絡防止により、リーケージトランス１０の破損を防ぐことができる。
【０１０２】
また、第１絶縁カバー５０および第２絶縁カバー６０といった具合に、２つの絶縁カバー５０，６０を用いる構成のため、二次巻線９１ｂの始端側と終端側とが、別々の絶縁カバー５０，６０でガイドされる。それにより、互いに短絡を防止した状態で、二次巻線９１ｂをガイドさせることができる。
【０１０３】
さらに、二段コイルボビン３０には、絡げ端子４０ａ，４０ｂを具備する第１の端子台３２が、二段コイルボビン３０の一方の側面から突出すると共に、絡げ端子４１ｂ，４１ｃを具備する第２の端子台３３が二段コイルボビン３０の他方の側面から突出している。そのため、電位差の大きい二次巻線９１ａ，９１ｂの始端と終端とを、二段コイルボビン３０を挟んで別々の部位に位置させることができ、当該二次巻線９１ａ，９１ｂの短絡を防止することが可能となる。
【０１０４】
（第２の実施の形態）
以下、本発明の第２の実施の形態について、図１３に基づいて説明する。なお、本実施の形態におけるリーケージトランス１１０は、基本的には、上述の第１の実施の形態で述べたリーケージトランス１０と同様の構成である。そのため、本実施の形態においては、上述の第１の実施の形態で述べたのと同様の構成については、同一の符号を付して説明する。
【０１０５】
本実施の形態のリーケージトランス１１０では、上述の第１の実施の形態における二段コイルボビン３０の代わりに、三段コイルボビン１３０が用いられていると共に、一次用コイルボビン７０を用いていない。以下、その詳細について説明する。
【０１０６】
本実施の形態で用いられる、多数段コイルボビンとしての三段コイルボビン１３０は、図１３に示すように、上述の二段コイルボビン３０の上方に、新たに一次巻線９０を巻回させるための第３の巻枠部３４ｃを具備する。すなわち、三段コイルボビン１３０には、下鍔部３１ａと、中鍔部３１ｂと、上鍔部３１ｃの他に、一次用上鍔部３１ｄが設けられている。そして、上鍔部３１ｃと一次用上鍔部３１ｄとの間が、第３の巻枠部３４ｃとなっていて、この部分に一次巻線９０が巻回される。
【０１０７】
また、上鍔部３１ｃには、第３の巻枠部３４ｃに巻回される一次巻線９０を引っ掛けるための、径方向に向かうスリット（不図示）が設けられている。このスリットは、一対設けられていて、第３の巻枠部３４ｃに一次巻線９０を巻回させる際に、または第３の巻枠部３４ｃへの巻回が終了した一次巻線９０を引き出す際に、当該一次巻線９０が入り込む。それにより、一次巻線９０が第３の巻枠部３４ｃと端子との間で弛まずに、巻回状態を良好に維持可能となっている。
【０１０８】
なお、三段コイルボビン１３０の他の部分の構成は、上述の二段コイルボビン３０の構成と同様となっている。このため、その詳細についての説明は省略する。また、上述のスリットを省略しても良く、さらに上述の絶縁カバー５０，６０と同様の絶縁カバーを用いて、一次巻線９０をガイドするようにしても良い。
【０１０９】
また、本実施の形態では、凹陥部２２は、上述の第１の実施の形態における凹陥部２２よりも、小径となるように設けられている。すなわち、本実施の形態では、一次用コイルボビン７０の凹陥部２２に対する挿入が省略されている。このため、凹陥部２２は、三段コイルボビン１３０の挿入に適合する内径を有している。
【０１１０】
以上のような構成を有するリーケージトランス１１０の製造方法について、以下に説明する。なお、この製造方法の説明においても、上述の第１の実施の形態で説明したのと共通する部分については、その説明を省略する。
【０１１１】
まず、上述の第１の実施の形態で説明したのと同様にして、第１の巻枠部３４ａに二次巻線９１ａを巻回させ、続いて第２の巻枠部３４ｂにも上述の第１の実施の形態で述べたのと同様にして、二次巻線９１ｂを巻回させる。
【０１１２】
そして、第２の巻枠部３４ｂに対する二次巻線９１ｂの巻回が終了した後に、第３の巻枠部３４ｃに対して、一次巻線９０を巻回させる。この場合、まず端子３８ｂ〜３８ｆのいずれかに、一次巻線９０の一端側を絡げさせた後に、スリットに当該一次巻線９０を入り込ませる。その後に、当該一次巻線９０を第３の巻枠部３４ｃに対して巻回させる。
【０１１３】
ここで、第３の巻枠部３４ｃに対しては、一次巻線９０を時計回り方向又は反時計回り方向のいずれの向きに巻回させても良い。なお、一次巻線９０の始端側と終端側とが、互いに接触しないようにするのが好ましい。
【０１１４】
所定の巻き数だけ、第３の巻枠部３４ｃに対して一次巻線９０を巻回させた後に、再び一次巻線９０をスリットに引っ掛けさせる。そして、一次巻線９０を端子側に向かって引き出し、当該位置維持側巻線の他端側を、始端側が絡げられている端子３８ｂ〜３８ｆのいずれかとは異なる、いずれかの端子３８ｂ〜３８ｆに対して絡げさせる。その後に、一次巻線９０のうち余っている側を断線する。以上のようにして、二次巻線９１および一次巻線９０の巻回が終了する。
【０１１５】
また、この後に、上述の第１の実施の形態における場合と同様に、三段コイルボビン１３０の中心孔１３０ａに、柱脚部２３を挿入させ、三段コイルボビン１３０が、凹陥部２２に嵌め込まれた状態にする。次に、凹陥部２２を塞ぐように、蓋コア８０をケースコア２０に対して取付固定する（図１３参照）。
【０１１６】
なお、本実施の形態においても、不図示の側壁コアを取り付け、凹陥部２２の手前側および奥側を塞ぐようにしても良い。このようにすれば、凹陥部２２の開放部分が側壁コアで塞がれて、磁束が外部に漏れるのが低減される。
【０１１７】
このような構成のリーケージトランス１１０によれば、三段コイルボビン１３０の巻枠部３４ａ〜３４ｃの夫々には、二次巻線９１ａ，９１ｂのみならず、一次巻線９０も巻回される。すなわち、二次巻線９１ａ，９１ｂの巻線方向が為す平面に垂直な方向に、一次巻線９０も重ねられる。このため、一次用コイルボビン７０を二段コイルボビン３０の外周側に配置する必要がなくなり、リーケージトランス１１０の小径化・コンパクト化が一層図れる。また、その小径化によって、電子機器の回路基板への実装面積を一層小さくすることができ、当該電子機器の小型化を一層図ることができると共に、電子機器の設計の自由度を一層向上させることができる。
【０１１８】
また、本実施の形態では、三段コイルボビン１３０のうち、第１の巻枠部３４ａと第２の巻枠部３４ｂには、二次巻線９１ａ，９１ｂが夫々巻回されると共に、第３の巻枠部３４ｃには一次巻線９０が巻回される。そのため、リーケージトランス１１０には、下方から二次巻線９１ａ、二次巻線９１ｂおよび一次巻線９０が配置される状態となる。この場合、二次巻線９１ｂが二次巻線９１ａよりも一次巻線９０に近く、磁束の漏れを考慮すると、入り込む磁束の数が多い。それにより、同じ巻線数の場合、第２の巻枠部３４ｂに巻回される二次巻線９１ｂの方が、電圧値を高くすることができる。
【０１１９】
以上、本発明の第１及び第２の実施の形態について説明したが、本発明はこれ以外にも種々変形可能となっている。以下、それについて述べる。
【０１２０】
上述の第１の実施の形態では、二段コイルボビン３０を用いて、２つの二次巻線９１ａ，９１ｂを配置する場合について説明している。しかしながら、二次巻線９１の個数は２つには限られない。例えば、３つ又はそれ以上の二次巻線９１を巻回させるｎ段コイルボビン（ｎ個の二次巻線９１が用いられるとする。）を用いると共に、一次用コイルボビン７０をその外側に配置するようにしても良い。同様に、上述の第２の実施の形態でも、三段コイルボビン１３０を用いる構成には限られず、ｎ段コイルボビン（ｎ−１個の二次巻線９１（ｎは３以上）が用いられるとする。）を用いるようにしても良い。
【０１２１】
また、上述の第１及び第２の実施の形態では、第１絶縁カバー５０および第２絶縁カバー６０を、二段コイルボビン３０に取り付ける構成が採用されている。しかしながら、二次巻線９１ａと二次巻線９１ｂとの間で、絶縁が図れる場合、第１絶縁カバー５０および第２絶縁カバー６０を用いない構成を採用することができる。
【０１２２】
例えば、二次巻線９１ｂの始端側を通すための溝を中心孔３０ａ側に設け、この溝を伝う二次巻線９１ｂを挿通させるための挿通孔を第２の巻枠部３４ｂの底面３４b1側に設ける。そして、二次巻線９１ｂを第２の巻枠部３４ｂに巻回した後に、一度二次巻線９１ｂの終端側を上方に向けると共に、二段コイルボビン３０の上端面から中心孔３０ａに向かうようにする。さらに、二次巻線９１ｂの終端側を通すための溝を中心孔３０ａ側に設け、この溝を伝って二次巻線９１ｂを終端側までガイドさせる。このようにした場合、第１絶縁カバー５０および第２絶縁カバー６０を用いずに、二次巻線９１ａと二次巻線９１ｂとの間の絶縁を図りつつ、２つの二次巻線９１ａ，９１ｂが上下方向に配置された構成を実現することができる。
【０１２３】
また、上述の第２の実施の形態では、一次巻線９０を巻回させる第３の巻枠部３４ｃが、三段コイルボビン１３０のうち最上部に設けられている。しかしながら、第３の巻枠部３４ｃは、必ずしも三段コイルボビン１３０の最上部に設けられる構成には限られず、中央部又は最下部に設けられる構成を採用しても良い。なお、第３の巻枠部３４ｃを三段コイルボビン１３０の中央部又は最下部に設ける場合、それより上方に位置する第２の巻枠部３４ｂ等に対して、絶縁を図る必要がある。
【０１２４】
また、上述の第１の実施の形態では、二段コイルボビン３０よりも大径の一次用コイルボビン７０が、当該二段コイルボビン３０の外周側に配置される構成について説明している。また、上述の第２の実施の形態では、三段コイルボビン１３０を用いる構成について説明している。しかしながら、一次用コイルボビン７０を二段コイルボビン３０とほぼ等しい外径および内径を有するように形成すると共に、柱脚部２３を延長し、該柱脚部２３に対して二段コイルボビン３０と一次用コイルボビン７０とを重ねるように差し込んでも良い。このようにした場合でも、上述の第２の実施の形態のリーケージトランス１１０の場合と同様に、リーケージトランスの小径化・コンパクト化が一層図れる。
【０１２５】
さらに、上述の各実施の形態では、端子３８ａ〜３８ｇおよび端子４１ａ，４１ｄは、面実装される面実装部３９ｂ，４２ｂを有している。しかしながら、端子３８ａ〜３８ｇ、および端子４１ａ，４１ｄは、面実装部３９ｂ，４２ｂを有する構成には限られず、例えば、回路基板に差し込まれるように、下方に向かって突出する構成を採用しても良い。
【０１２６】
また、上述のリーケージトランス１０，１１０は、ノート型パーソナルコンピュータの表示装置におけるバックライト用放電灯として使用される場合には限られず、種々の電子機器に用いることが可能である。その例としては、携帯電話装置の表示装置、カーナビゲーションの表示装置、蛍光灯、ＰＤＰ等が挙げられる。
【０１２７】
さらに、上述の実施の形態では、コアは、図１において手前側および奥側が開放したケースコア２０と、蓋コア８０から構成されている。しかしながら、コアはこれに限られない。例えば、側壁２１がケースコア２０の側縁の全周に亘って設けられるように構成しても良い。
【０１２８】
また、上述の実施の形態では、下鍔部３１ａ、中鍔部３１ｂ、および上鍔部３１ｃは、円周のほぼ全周に亘るように設けられている。しかしながら、これら下鍔部３１ａ、中鍔部３１ｂ、および上鍔部３１ｃは、このように設けられる必要はない。例えば、下鍔部３１ａ、中鍔部３１ｂ、および上鍔部３１ｃの一部を所定間隔で切り欠いた、間欠形状としても良い。
【０１２９】
また、上述の第１の実施の形態では、第１の巻枠部３４ａおよび第２の巻枠部３４ｂが一体的に設けられると共に、上述の第２の実施の形態では、第１の巻枠部３４ａ、第２の巻枠部３４ｂおよび第３の巻枠部３４ｃが一体的に設けられている構成について説明している。しかしながら、これら複数の巻枠部は、必ずしも一体的に設けられる必要はない。すなわち、多数段コイルボビンは、一体的に設けられる必要はなく、別体的な巻枠部が組み合わされることにより、多数段コイルボビンを構成しても良い。その例を、図１４および図１５に示す。
【０１３０】
図１４および図１５には、別体的な部材が組み合わされる構成の二段コイルボビン１５０が開示されている。この二段コイルボビン１５０は、第１の端子台３２および第２の端子台３３と一体的に設けられている下段コイルボビン１６０と、該下段コイルボビン１６０に対して重ねられる状態で取り付けられる上段コイルボビン１７０と、から構成されている。このうち、下段コイルボビン１６０には、第１の巻枠部３４ａが設けられている。
【０１３１】
また、上段コイルボビン１７０には、第２の巻枠部３４ｂが設けられていると共に、当該第２の巻枠部３４ｂの下方に向かって延伸するスカート部１７１を有している。スカート部１７１の内部には、カップ部１７２が設けられている。カップ部１７２は、上述の下段コイルボビン１６０が入り込む部位である。このカップ部１７２に下段コイルボビン１６０が入り込むと（図１５参照）、該下段コイルボビン１６０がスカート部１７１で覆われる状態となる。それにより、スカート部１７１は、上述した第１絶縁カバー５０および第２絶縁カバー６０と同等の機能を果たすことが可能となる。
【０１３２】
すなわち、第１の巻枠部３４ａ（二次巻線９１ａ）が、スカート部１７１で覆われると共に、第２の巻枠部３４ｂに巻回される二次巻線９１ｂが、スカート部１７１を伝って絡げ端子４０ａ，４１ｂに向かって配設されることにより、二次巻線９１ａと二次巻線９１ｂとの間で、絶縁を図ることができる。
【０１３３】
なお、スカート部１７１は、上段コイルボビン１７０の全周に亘って設ける必要はなく、例えば半周だけ設ける等、適宜切り欠いて、必要な長さだけ設けるようにしても良い。また、スカート部１７１が、上段コイルボビン１７０に対して別体的な部材であっても良い。
【産業上の利用可能性】
【０１３４】
本発明のリーケージトランスは、例えばノート型パーソナルコンピュータの表示装置のバックライト用放電灯として利用することができる。
【図面の簡単な説明】
【０１３５】
【図１】本発明の第１の実施の形態に係るリーケージトランスの構成を示す分解斜視図である。
【図２】図１のリーケージトランスの全体を示す斜視図である。
【図３】図１のリーケージトランスの構成を示す平面図である。
【図４】図１のリーケージトランスの構成を示す側面図である。
【図５】図１のリーケージトランスの構成を示す正面図である。
【図６】図１のリーケージトランスの構成を示す裏面図である。
【図７】図１のリーケージトランスの構成を示す側断面図である。
【図８】図１のリーケージトランスのうち、二段コイルボビンの構成を正面側から見た状態を示す斜視図である。
【図９】図１のリーケージトランスのうち、二段コイルボビンの構成を側方から見た状態を示す斜視図である。
【図１０】図１のリーケージトランスのうち、コアを形成するケースコアおよび蓋コアの形状を示す斜視図である。
【図１１】図１のリーケージトランスのうち、第１絶縁カバーの構成を示す斜視図である。
【図１２】図１のリーケージトランスのうち、第２絶縁カバーの構成を示す斜視図である。
【図１３】本発明の第２の実施の形態に係るリーケージトランスの構成を示す側断面図である。
【図１４】本発明のリーケージトランスのうち、多数段コイルボビンの変形例に係る構成を示す分解斜視図である。
【図１５】本発明のリーケージトランスのうち、多数段コイルボビンの変形例に係る構成を示す斜視図である。
【符号の説明】
【０１３６】
１０，１１０…リーケージトランス
２０…ケースコア（コアの一部）
２１…側壁部
２２…凹陥部
２３，２３ａ，２３ｂ…第１の柱脚部（柱脚部）
２４，２４ａ，２４ｂ…第２の柱脚部（柱脚部）
３０，１５０…二段コイルボビン（多数段コイルボビン）
３１…巻線部
３１ａ…上鍔部
３１ｂ…中鍔部
３１ｃ…下鍔部
３１ｄ…一次用上鍔部
３２…第１の端子台
３３…第２の端子台
３４ａ…第１の巻枠部
３４ｂ…第２の巻枠部
３４ｃ…第３の巻枠部
３６ａ，３６ｂ…中鍔凹部
３７…ガイド溝
３８ａ〜３８ｇ，４１ａ，４１ｄ…端子
４０，４０ａ，４０ｂ，４１ｂ，４１ｃ…絡げ端子
５０…第１絶縁カバー
６０…第２絶縁カバー
７０…一次用コイルボビン
７２…巻枠部
８０…蓋コア（コアの一部）
９０…一次巻線
９１…二次巻線
１３０…三段コイルボビン（多数段コイルボビン）
１６０…下段コイルボビン
１７０…上段コイルボビン
１７１…スカート部
１７２…カップ部
【図１】
2005158927.tif 000003
【図２】
2005158927.tif 000004
【図３】
2005158927.tif 000005
【図４】
2005158927.tif 000006
【図５】
2005158927.tif 000007
【図６】
2005158927.tif 000008
【図７】
2005158927.tif 000009
【図８】
2005158927.tif 000010
【図９】
2005158927.tif 000011
【図１０】
2005158927.tif 000012
【図１１】
2005158927.tif 000013
【図１２】
2005158927.tif 000014
【図１３】
2005158927.tif 000015
【図１４】
2005158927.tif 000016
【図１５】
2005158927.tif 000017